(57)【要約】  小出し閉じ具システム３０，３０Ａ，３０Ｂ，３０Ｃ，３０Ｄが、容器に取り付けるための周壁又は閉じ具胴部３２，３２Ａ，３２Ｂ，３２Ｃ，３２Ｄを備えている。該システムの一形式では、少なくとも１つの蓋６１又は６２／６１Ａ又は６２Ａ／６１Ｂ又は６２Ｂ／６１Ｄ又は６２Ｄが、周壁３２，３２Ａ，３２Ｂ，３２Ｃ，３２Ｄのリム４４Ｄに設けられた係止穴１２０Ｄに受容される係止突起を含むことで、蓋を開けるさいの抵抗が高められる。該システムの別の形式では、２つの蓋６１，６２／６１Ａ，６２Ａ／６１Ｂ，６２Ｂ／６１Ｄ，６２Ｄが、胴部３２，３２Ａ，３２Ｂ，３２Ｃ，３２Ｄと共に一体の構造物として成形され、かつ２つの取り出し口５１，５２／５１Ａ，５２Ａ／５１Ｂ，５２Ｂ／５１Ｃ，５２Ｃ／５１Ｄ，５２Ｄを閉じることができる。
2008520513.tif 000002
【特許請求の範囲】
【請求項１】
製品を収納可能な内部を有する容器用の小出し閉じ具システムにおいて、前記小出し閉じ具システムが、
（Ａ）容器内部へ通じる開口を囲んで容器から延びるようにされた周壁を含み、該周壁が第１取り出し口と第２取り出し口とを画成し、該第１取り出し口が、第１形状と、前記容器から前記製品を注出するのに適応する寸法とを有し、前記第１取り出し口が、広幅の端部と、注出用の先細形状を有する狭幅の端部とを有し、前記第２取り出し口が、前記第１取り出し口の広幅端部に隣接配置され、第２形状と、前記容器内部から前記製品をすくい出すのに適応する寸法とを有しており、前記小出し閉じ具システムが、また
（Ｂ）前記周壁と一体の頂部を含み、該頂部が、
（１）第１の蓋と、
（２）第２の蓋と、
（３）前記第１の蓋を前記第２の蓋に結合する第１フィルムヒンジを含み、これにより前記第１取り出し口が隠される閉位置と前記第１取り出し口が露出する開位置間での前記第１の蓋の移動に適応するようにされ、更に、前記小出し閉じ具システムが、
（Ｃ）第２フィルムヒンジを含み、該第２フィルムヒンジが前記周壁及び前記第２の蓋と一体に構成されることで、前記第２の蓋が前記周壁と結合され、それにより前記第２取り出し口が隠される閉位置と前記第２取り出し口が露出する開位置間での前記第２の蓋の移動に適応するようにされている、製品を収納可能な内部を有する容器用の小出し閉じ具システム。
【請求項２】
前記小出し閉じ具システムが、容器内部への開口を有する容器用の小出し閉じ具であり、前記閉じ具は、前記容器とは別個だが、前記開口を囲んで前記容器に取り外し可能に付加取り付け可能である、請求項１に記載された小出し閉じ具システム。
【請求項３】
前記第１取り出し口の狭幅端部が少なくとも部分的に２つの弓形側部によって画成され、該側部が、これら側部各々の半径より小さい半径を有する弓形端部に続いている、請求項１に記載された小出し閉じ具システム。
【請求項４】
前記周壁が閉じ具胴部であり、該胴部が、容器上にスナップばめされる構造部を係止するためのビードを含む、請求項１に記載された小出し閉じ具システム。
【請求項５】
前記第１の蓋と前記第２の蓋の各々が、前記周壁の上部に沿って下方へ延びる周部フランジを有している、請求項１に記載された小出し閉じ具システム。
【請求項６】
前記各蓋の前記周部フランジが横方向内方に延びる係止ビードを有し、
前記周壁が横方向外方へ延びる係止ビードを有し、この係止ビードが、前記第１の蓋の前記横方向内方に延びる係止ビードと、前記第２の蓋の前記横方向内方へ延びる係止ビードと係止され、
前記周壁が少なくとも１つの係止穴を有するリムを含み、該係止穴が、前記リム下側の周方向係止肩によって画成され、
前記リムが、少なくとも１つの前記係止穴の周囲で横方向に一時的に弾性変形可能であり、
前記蓋の少なくとも一方の蓋が少なくとも１つの係止突起を含み、該蓋が閉じられるさいに前記係止突起が前記少なくとも１つの係止穴内へ押し込まれ、前記少なくとも１つの係止突起が横方向に延びる係止ビードを含むことで、前記係止突起が前記係止穴内へ押し込まれるにつれて、前記リムが前記係止穴の周囲で横方向に弾性変形して、前記係止穴の寸法が一時的に拡張され、その結果、前記係止突起が前記係止穴に受容されると、前記係止突起の係止ビードが前記係止肩の内側にスナップばめ式にはめ込まれることになり、それによって前記蓋を開けるさいの抵抗が高められる、請求項５に記載された小出し閉じ具システム。
【請求項７】
前記周壁が、閉位置にある前記蓋の一方の蓋より横方向外方へ突出する引き起こしタブを含む、請求項１に記載された小出し閉じ具システム。
【請求項８】
前記第１取り出し口の狭幅の端部のところの周壁が横方向内方に突出する部分を含む、請求項１に記載された小出し閉じ具システム。
【請求項９】
前記周壁がリムを有し、
前記横方向内方へ突出する部分が、前記周壁のリムと同一平面をなす頂面を有する概して平らな棚状部である、請求項８に記載された小出し閉じ具システム。
【請求項１０】
前記周壁がリムを有し、
前記横方向内方へ突出する部分が、前記周壁のリムから前記第１取り出し口内へ、斜め下方に延びる弓形傾斜部である、請求項８に記載された小出し閉じ具システム。
【請求項１１】
製品を収納可能な内部を有する容器用の小出し閉じ具システムにおいて、前記小出し閉じ具システムが、
（Ａ）容器内部へ通じる開口を囲んで前記容器から延びるようにされた周壁と、
（Ｂ）前記周壁と一体の頂部とを含み、該頂部が、
（１）固定パネルを含み、該固定パネルが、前記周壁と一体であり、かつ第１取り出し口を第２取り出し口から分離するために前記周壁に差し渡されて延びており、しかも、
（ａ）前記第１取り出し口が、第１形状を有し、かつ前記容器から製品を注出するのに適応する寸法を有しており、
（ｂ）前記第１取り出し口が、前記固定パネルに隣接して広幅の端部を有し、かつ（ｉ）前記固定パネルとは反対側に、（ｉｉ）注出用の先細形状の狭幅端部を有しており、
（ｃ）前記第２取り出し口が、第２形状を有し、かつ前記容器内部から前記製品をすくい出すのに適応する寸法を有しており、前記頂部が、また
（２）第１の蓋と、
（３）第２の蓋と、
（４）前記第１取り出し口が隠される閉位置と前記第１取り出し口が露出する開位置間での前記第１の蓋の移動に適応するように、前記第１の蓋を前記固定パネルに結合する第１フィルムヒンジと、
（５）前記第２取り出し口が隠される閉位置と前記第２取り出し口が露出する開位置間での前記第２の蓋の移動に適応するように、前記第２の蓋を前記固定パネルに結合する第２フィルムヒンジとを含む、製品を収納可能の内部を有する容器用の小出し閉じ具システム。
【請求項１２】
前記小出し閉じ具システムが、容器内部へ通じる開口を有する容器用の小出し閉じ具であり、該閉じ具は、前記容器とは別個のものだが、前記開口を囲んで前記容器に取り外し可能に取り付け可能である、請求項１１に記載された小出し閉じ具システム。
【請求項１３】
前記第１取り出し口の狭幅端部が、少なくとも部分的に２つの僅かに弓形の側部を画成し、該側部が、これら側部間に延在する、より弓形の部分とつながっている、請求項１１に記載された小出し閉じ具システム。
【請求項１４】
前記周壁が閉じ具胴部であり、該閉じ具胴部が容器上にスナップばめされる構造部を係止するためのスナップばめ用ビードを含む、請求項１１に記載された小出し閉じ具システム。
【請求項１５】
前記第１の蓋と第２の蓋各々が、前記周壁の上部に沿って下方へ延びる周部フランジを有する、請求項１１に記載された小出し閉じ具システム。
【請求項１６】
前記各蓋の前記周部フランジが横方向内方へ延びる係止ビードを有し、
前記周壁が、前記第１の蓋の前記横方向内方へ延びる係止ビードと、前記第２の蓋の前記横方向内方へ延びる係止ビードとに係止するための、横方向外方へ延びる係止ビードを有し、
前記周壁がリムを有し、該リムが、リム下側の周方向の係止肩により画成される少なくとも１係止穴を有し、
前記リムが、前記少なくとも１係止穴周囲で横方向に一時的に弾性変形可能であり、
前記蓋の少なくとも一方の蓋が少なくとも１係止突起を含み、前記蓋が閉じられるさいに前記係止突起が前記少なくとも１係止穴内へ押し込まれ、該係止突起が横方向に延びる係止ビードを含むことにより、前記係止突起が前記係止穴内へ押し込まれるにつれて、前記リムが前記係止穴の周囲で横方向に弾性変形し、前記係止穴の寸法が一時的に拡張するため、前記係止突起が前記係止穴に受容された場合、前記係止突起の係止ビードが前記係止肩の内側にスナップばめ式にはめ込まれることになり、それによって前記蓋を開けるさいの抵抗が高められる、請求項５に記載された小出し閉じ具システム。
【請求項１７】
前記第１及び第２フィルムヒンジが平行である、請求項１１に記載された小出し閉じ具システム。
【請求項１８】
前記周壁が、前記蓋の一方の蓋が閉状態の場合に、該蓋から横方向外方に突出する引き起こしタブを含む、請求項１１に記載された小出し閉じ具システム。
【請求項１９】
前記第１取り出し口の狭幅端部が横方向内方へ突出する部分を含む、請求項１１に記載された小出し閉じ具システム。
【請求項２０】
製品を収納可能な内部を有する容器用の小出し閉じ具システムにおいて、前記小出し閉じ具システムが、
（Ａ）容器内部へ通じる開口を囲んで容器から延びるようにされた周壁を含み、該周壁が第１取り出し口と第２取り出し口とを画成し、前記第２取り出し口を画成する前記周壁部分がリムを有し、該リムが、リム下側の周方向肩によって画成される少なくとも１係止穴を有し、前記リムが前記係止穴周囲で一時的に横方向に弾性変形可能であり、前記小出し閉じ具システムが、また
（Ｂ）前記周壁と一体に構成された頂部を含み、該頂部が
（１）前記第１取り出し口が隠される閉位置と前記第１取り出し口が露出する開位置間を移動可能な第１の蓋と、
（２）前記第２取り出し口が隠される閉位置と前記第２取り出し口が露出する開位置間を移動可能な第２の蓋とを含み、前記第２の蓋が少なくとも１係止突起を含み、該蓋が閉じられるさい前記少なくとも１係止穴内へ前記係止突起が押し込まれ、前記少なくとも１係止突起が横方向に延びる係止ビードを含むことで、前記少なくとも１係止突起が前記少なくとも１係止穴内へ押し込まれるにつれて、前記リムが前記少なくとも１係止穴周囲で横方向に弾性変形し、前記少なくとも１係止穴の寸法が一時的に拡張される結果、前記少なくとも１係止突起の係止ビードが、前記少なくとも１係止突起が前記少なくとも１係止穴に受容された場合、スナップばめ式に前記係止肩の内側にはめ込まれることになり、それにより前記蓋を開くさいの抵抗が高められる、製品を蓄えることのできる内部を有する容器用の小出し閉じ具システム。
【請求項２１】
前記小出し閉じ具システムが、容器内部へ通じる開口を有する容器用の小出し閉じ具であり、
前記閉じ具が、前記容器とは別個のものだが、前記開口を囲んで該容器に取り外し可能に取り付け可能である、請求項２０に記載された小出し閉じ具システム。
【請求項２２】
前記第１の蓋及び第２の蓋各々が、前記周壁上部に沿って下方へ延びる周部フランジを含み、
前記各蓋の前記周部フランジが横方向内方に延びる係止ビードを有し、
前記周壁が、前記第１蓋の前記横方向内方に延びる係止ビードと、前記第２蓋の前記横方向内方に延びる係止ビードとに係止するための横方向外方へ延びる係止ビードを有する、請求項２０に記載された小出し閉じ具システム。
【請求項２３】
前記頂部が、更に、前記第１の蓋を前記第２の蓋と結合するための第１フィルムヒンジを含むことで、前記第１取り出し口が隠される閉位置と前記第１取り出し口が露出する開位置間での前記第１の蓋の移動に適応せしめられ、
前記閉じ具システムが、更に、前記第２の蓋を前記周壁と結合するための、前記周壁及び前記第２の蓋と一体の第２フィルムヒンジを含み、それにより前記第２取り出し口が隠される閉位置と前記第２取り出し口が露出する開位置間での前記第２の蓋の移動に適応せしめられる、請求項２０に記載された小出し閉じ具システム。
【請求項２４】
前記頂部が、更に、
（１）固定パネルを含み、該固定パネルが、前記周壁と一体に構成され、かつ前記周壁を差し渡して延在することで、前記第１取り出し口を画成し、該第１取り出し口が、該固定パネルにより前記第２取り出し口から分離され、前記頂部が、また、
（２）前記第１の蓋を前記固定パネルに結合する第１フィルムヒンジを含み、これにより、前記第１取り出し口が隠される閉位置と前記第１取り出し口が露出される開位置間での前記第１の蓋の移動に適応するようにされ、前記頂部が、更に、
（３）前記第２の蓋を前記固定パネルに結合する第２フィルムヒンジを含み、これにより、前記第２取り出し口が隠される閉位置と前記第２取り出し口が露出される開位置間での前記第２の蓋の移動に適応するようにされている、請求項２０に記載された小出し閉じ具システム。
【請求項２５】
製品を収納可能な内部を有する容器用の小出し閉じ具システムにおいて、前記小出し閉じ具システムが、
（Ａ）前記容器内部へ通じる開口を囲んで前記容器から延びるようにされた周壁を含み、該周壁が少なくとも１取り出し口を画成し、少なくとも前記周壁部分がリムを有し、該リムが、リム下側の周方向肩により画成された少なくとも１係止穴を有し、前記リムが、前記少なくとも１係止穴周囲で一時的に横方向に弾性変形可能であり、前記小出し閉じ具システムが、また
（Ｂ）前記少なくとも１つの取り出し口が隠される閉位置と前記少なくとも第１取り出し口が露出される開位置との間を移動可能な少なくとも１つの蓋を含み、前記少なくとも１つの蓋が、閉じられるさい前記少なくとも１係止穴内へ押し込まれる少なくとも１係止突起を含み、前記係止突起が横方向に延びる係止ビードを含むことにより、前記少なくとも１係止突起が前記少なくとも１係止穴内へ押し込まれるにつれて、前記リムが前記少なくとも１係止穴の周囲で横方向に弾性変形し、それにより前記少なくとも１係止穴の寸法が一時的に拡張する結果、前記少なくとも１係止突起が前記係止穴に受容された場合、前記少なくとも１係止突起の係止ビードがスナップばめ式に前記係止肩の内側にはめ込まれることになり、それにより前記少なくとも１つの蓋を開くさいの抵抗が高められる、製品を蓄えることのできる内部を有する容器用の小出し閉じ具システム。
【請求項２６】
前記小出し閉じ具システムが、容器内へ通じる開口を有する容器用の小出し閉じ具であり、
前記小出し閉じ具は、前記容器とは別個のものだが、容器の開口を囲んで取り外し可能に取り付け可能である、請求項２５に記載された小出し閉じ具システム。
【請求項２７】
前記少なくとも１つの蓋が、前記周壁の上部に沿って下方へ延びる周部フランジを有し、
前記少なくとも１つの蓋の前記周部フランジが、横方向内方へ延びる係止ビードを有し、
前記周壁が、前記少なくとも１つの蓋の前記横方向内方へ延びる係止ビードと係止するための、横方向外方へ延びる係止ビードを有している、請求項２５に記載された小出し閉じ具システム。
【請求項２８】
前記小出し閉じ具システムが、更に、フィルムヒンジを含み、該フィルムヒンジが、前記周壁及び前記少なくとも１つの蓋と一体に構成されることで、前記少なくとも１つの蓋が前記周壁と結合され、それにより、前記少なくとも１つの蓋が、前記取り出し口が隠される閉位置と前記取り出し口が露出される開位置との間を移動するのに適応するようにされている、請求項２５に記載された小出し閉じ具システム。
【発明の詳細な説明】
【技術分野】
【０００１】
本発明は、容器から材料を小出しするシステムに関するものである。
【背景技術】
【０００２】
従来の小出し閉じ具システムには様々な種類がある。従来技術の小出し閉じ具の一種類は、容器頂部に取り付けるための胴部又は基部を含んでいる。この胴部によって小出し開口が画成される。この閉じ具システムは、更に蓋を含み、この蓋が、胴部にヒンジ結合され、かつこの蓋を引き起こすことで小出し口を開けることができる。
【発明の開示】
【発明が解決しようとする課題】
【０００３】
小出し閉じ具は、通常、容器から製品を小出しするのに使用される。幾つかの種類の流動性の製品の場合、閉じ具には、開いた閉じ具から流動性の製品を注ぎ出すのに適した、あるいはまた開いた閉じ具に器具を挿入して、流動性製品を容器からすくい取るか、くみ出すのに適したヒンジ付き頂部又は蓋構造物を備えるのが望ましいだろう。該閉じ具は、また使用者が種々の製品、例えばナット、キャンディ、クッキー、クラッカー等をすくい出したり、汲み出したりできるのが望ましいだろう。
【０００４】
また、改良された小出し閉じ具、特に比較的大きい蓋を備えた閉じ具を得ることが望ましいだろう。その場合には、蓋を閉じた状態に維持する装置により、蓋を開けるさいの抵抗を高めることができるだろう。
また、改良小出し閉じ具は、種々の材料をすくい出しや、流動性材料の注出又は汲み出し適応するように容易に調節可能であるのが好ましい。
また、この改良小出し閉じ具の蓋構造物は、必要に応じて、閉じ具を容器からの流動性製品の注出に使用したり、容器からの流動性材料の製品又は他の製品のすくい出しに適応するように、容易に操作できるのが好ましい。
加えて、改良小出し閉じ具は、流動性材料の製品の比較的狭い幅の注出流が得られ、かつ従来の幅広の容器開口に容易に適応できるだけ十分に広幅であるのが好ましい。
【０００５】
この改良小出し閉じ具は、また、種々の形状の、かつまた種々の材料で構成された容器に適応できるのが好ましい。
この改良小出し閉じ具は、容易に使用できるように配慮されるべきである。好ましくは、この改良小出し閉じ具は、また清掃が容易にできるものでなければならない。
改良小出し閉じ具は、また一体製品として成形され、多数の部品の組み立てを要しないのが望ましいだろう。
更に、改良小出し閉じ具は、狭幅の注出流と広幅の注出流とが選択的に得られるように、設計上、配慮されるのが望ましい。その場合、基本閉じ構造物は、複数設計のいずれを製造する場合も、単一の共通な金型キャビティで成形できよう。
【０００６】
改良小出し閉じ具は、また種々の異なる材料での製造に容易に適応できるのが好ましい。
更に、この改良システムは、低い製品不良率で高品質の製品を効率的かつ高速で大量生産する技術に適応でき、それにより高い信頼性でユニットごとに一貫した作業特性を有する製品が製造されるのが望ましい。
【課題を解決するための手段】
【０００７】
本発明の小出し閉じ具システムは、前述の望ましい特徴の１つ以上を含む設計に適応することができる。
本発明の一態様によれば、小出し閉じ具システムの第１形式は、流動性材料の製品又は他種の製品を収容可能な内部を有する容器用のものである。この閉じ具システムは、容器内部への入口を囲んで容器から延びるようにするための周壁を含み、かつこの周壁と一体の頂部を含んでいる。
【０００８】
本発明の一形式によれば、この周壁は、容器内部からの少なくとも１つの取り出し口を画成し、周壁の少なくとも一部がリムを有している。このリムは、リム下側の周方向肩によって画成された少なくとも１つの係止穴を有している。リムは、この少なくとも１係止穴の周囲が横方向に一時的に弾性変形できる。頂部は、少なくとも１つの取り出し口が隠される閉位置と、少なくとも１つの取り出し口が露出される開位置との間を移動可能な少なくとも１つの蓋を含んでいる。この少なくとも１つの蓋は少なくとも１つの係止突起を含み、この係止突起は、該蓋が閉じられると、少なくとも１つの係止穴内へ押し込まれる。該少なくとも１つの係止突起は横方向に延びる係止ビードを含み、これにより、前記少なくとも１つの係止突起が前記係止穴内へ押し込まれるにつれて、前記リムは、少なくとも１つの係止穴の周囲で横方向に弾性変形し、一時的に該係止穴の寸法が拡張され、その結果、前記少なくとも１つの係止突起の係止ビードは、該少なくとも１係止突起が前記少なくとも１係止穴に受容された場合、係止肩の内側にスナップばめ式にはめ込まれることになり、それにより前記少なくとも１つの蓋を開くさいの抵抗が高められる。
【０００９】
本発明の別の態様によれば、周壁が第１と第２の取り出し口を画成している。第１取り出し口は、第１の構成を有し、容器外へ製品を注出させるのに適応する寸法を有している。第１取り出し口は、広幅の端部と、注出用の先細形状を有する狭幅の端部を有している。第２取り出し口は、第２の構成を有し、容器内部から製品をすくい出すのに適応した寸法を有している。
頂部は、第１の蓋と、第２の蓋と、これらの蓋を結合する第１フィルムヒンジとを含み、第１取り出し口が隠される閉位置と、第２取り出し口が露出する開位置との間で第１の蓋が移動できるように考慮されている。第２フィルムヒンジが周壁及び第２蓋と一体に形成されることで、第２の蓋が周壁と結合され、これにより第２蓋が、第２取り出し口が隠される閉位置と第２取り出し口が露出する開位置との間で移動できるように考慮されている。これらの蓋の一方又は両方が、係止突起を含むことができるが、含まなくてもよく、かつまた周壁は、係止突起とのスナップばめ用の係止穴を含むことができるが、含まなくてもよい。
【００１０】
本発明の別の態様によれば、小出し閉じ具システムの第２形式は、また流動性材料の製品又は他の製品を収容可能な内部を有する容器用に構成されている。
閉じ具システムのこの第２形式は、容器内部への開口を囲んで容器から延びるようにするための周壁を含んでいる。頂部は、この周壁と一体に構成されている。頂部は、固定パネルを含み、該固定パネルは、周壁と一体に構成され、かつ周壁間に差し渡されることで、第１取り出し口を第２取り出し口から分離している。第１取り出し口は、第１構成を有し、かつ容器からの製品の注出に適応する寸法を有している。第１取り出し口は、固定パネルに隣接する広幅の端部と、（１）固定パネルと反対側に位置し、（２）注出用の先細形状を有する狭幅の端部とを有している。第２取り出し口は、第２の構成を有し、容器内部から製品をすくい出すのに適応した寸法を有している。
【００１１】
前記頂部は、第１の蓋と第２の蓋とを含んでいる。第１フィルム・ヒンジが第１の蓋を固定パネルと結合し、それによって、第１の蓋が、第１取り出し口が隠される閉位置と、第１取り出し口が露出する開位置との間を移動できるように考慮されている。また、第２フィルム・ヒンジは、第２の蓋を固定パネルと結合し、第２の蓋が、第２取り出し口が隠される閉位置と第２取り出し口が露出される開位置との間で移動できるように考慮されている。これらの蓋の一方又は両方が、係止突起を含むことができるが、含まなくてもよく、周壁は、係止突起とのスナップばめ用の係止穴を含むが、含まなくてもよい。
【００１２】
本発明の更に別の態様によれば、２つのヒンジ付き蓋を有する頂部を備えた小出し閉じ具システムは、任意の係止システムを備えることができる。この任意の係止システムは、製品を蓄え可能な内部を有する容器用の小出し閉じ具システムと協働することができる。小出し閉じ具システムは、容器内部への入口を取り囲んで容器から延びるようにするための周壁を含んでいる。周壁は、第１取り出し口と第２取り出し口とを画成している。少なくとも第２取り出し口を画成する周壁部分は、リムを有している。このリムは、リム下側の周方向肩によって画成される少なくとも１つの係止穴を有している。このリムは、一時的に、係止穴周囲で横方向に弾性変形可能である。小出し閉じ具システムは、また周壁と一体形成された頂部を含んでいる。この頂部は、下記の蓋を含んでいる：
１．第１取り出し口が隠される閉位置と第１取り出し口を露出させる開位置との間を移動可能な第１の蓋、
２．第２取り出し口が隠される閉位置と第２取り出し口を露出させる開位置との間を移動可能な第２の蓋。
【００１３】
該第２の蓋は、閉じられるさい係止穴内へ押し込まれる少なくとも１つの係止突起を含んでいる。この係止突起は、横方向に延びる係止ビードを含み、これにより、リムは、係止突起が係止穴に押し込まれるにつれて、係止穴周囲で横方向に弾性変形させられ、係止穴寸法が一時的に拡張され、その結果、係止突起が係止穴に受容されると、係止突起の係止ビードがスナップばめ式に係止肩の内側にはめ込まれることになり、これによって蓋を開けるさいの抵抗が高められる。
【００１４】
本発明の数多くの他の利点及び特徴は、以下の、本発明の詳細な説明、請求項の記載、添付図面により容易に明らかになろう。
本明細書の一部をなす添付図面では、すべての図面を通じて類似部分には類似の符号が付されている。
【００１５】
本発明は、多くの異なる形式で具体化できるが、本明細書及び添付図面には、本発明の例として幾つかの特定の形式のみが開示されている。しかし、本発明は、記載の実施例に限定されるものではない。本発明の範囲は、特許請求の範囲に示されている。
説明を容易にするために、本発明の小出しシステムは、概して直立の姿勢で説明されるが、この姿勢は、容器がその底部を下にして直立して保管される場合に、容器の上端のところで可能になる小出しシステムの姿勢である。しかし、本発明の小出しシステムは、ここで説明する姿勢とは異なる姿勢で製造され、貯蔵され、運送され、使用され、販売されることも可能である。
【００１６】
本発明の小出しシステムは、種々の設計の様々な従来の容器又は特殊容器と共に使用するのに適しており、それら容器の詳細については、ここでは図示又は説明しないが、当業者にはそれらの容器が明らかに理解されよう。ここで説明する本発明の図示の実施例の場合、容器自体は、本発明の最広義の態様にも加えられておらず、したがって、容器自体には、本発明の態様を制限する意図はない。当業者には、新規性かつ非自明性のある発明の態様が、ここに記載された典型的な小出しシステムにのみ具体化されていることも理解されよう。
【実施例１】
【００１７】
本発明の小出し閉じシステムの現時点で好ましい第１実施例は、図１−図９に示した小出し閉じ具組立体の形式であり、図１には、この組立体が、全体を符号３０で示されている。小出し閉じ具組立体３０は、以下では、より簡単に「閉じ具３０」と呼ぶこともあるが、別個にユニットとして製造され、容器（図示せず）の頂部に取り付けられる。しかし、幾つかの用途では、容器の一体部分、又は延長部として形成されるのが小出し閉じ具３０にとっては望ましい。その場合、一体部分又は延長部は、容器自体の小出し端部構造物を形成する。
【００１８】
容器（図示せず）は、通常、従来式の口を有し、この口が、容器の内部及び内包されている製品への接近口を形成している。製品は、容器からすくい出したり掻き出したりすることが可能な、例えばナット、キャンディ、クラッカー、クッキー等である。製品は、また、注出、掻き出し、すくい出しの可能な、より流動性の高い材料、例えば挽いたコーヒー、砂糖、その他の材料、例えば液体、粉体、スラリ等でもよい。これらの材料は、例えば食品、個人用の製品、工業用又は家庭用の製品として、あるいはまたその他の配合・調合品（例えば、ヒトや動物用の内用、外用の製品、又は医療、製造、商業、家庭の保守作業、建設、農業等の諸活動用の製品）として売られているものである。
【００１９】
容器は、通常、閉じ具３０の係止に適した断面形状の容器口を画成する頚部その他の適当な構造部を有することができる。容器の胴部は、容器口の断面形状とは異なる別の断面形状を有していてよい。容器は、他方、縮小寸法又は異なる断面形状の頚部を除いて、その全長又は全高にわたり事実上一様の形状を有することができる。
容器は、また使用者が掴んで多少圧縮できるような、可とう性の単数又は複数の壁部を有する絞り出し可能な容器でもよいが、そのような容器でなくてもよい。しかし、閉じ具３０は、使用者が絞り出すことを意図しない事実上非可とう性の壁部を有する容器と共に使用するのに特に適している。
【００２０】
図３に示した第１実施例では、好適な構造の閉じ具３０は、基部又は胴部３２を形成する周壁と、ヒンジ３６により周壁である基部又は胴部３２に結合された頂部３４とを含んでいる。該ヒンジ３６は、閉じ技術分野では周知の何らかの適当な従来式フィルムヒンジ設計又は特殊な設計のものでよいが、このヒンジ設計の詳細は、本発明には属していない。図１−図１２に示した好適な第１実施例では、周壁（例えば胴部３２）、頂部３４、ヒンジ３６は、適当な熱可塑性プラスチック、例えばポリプロピレン等による一体構造物として成形されている。代わりに、別の材料を使用することもできる。
考えられる別の複数実施例の場合、閉じ具３０は、容器と完全に別個の構造物である必要はない。その場合、容器の一体部分として構成された閉じ具３０を備えた小出し端部構造部を有するように、容器を製造できよう。この別形式の場合、図示の第１実施例の閉じ具３０を変更して、閉じ具３０を容器の延長部として構成し、胴部３２を形成する該延長部は、その場合、容器内部との連通に適応するように機能することが構造上の特色として特徴付けられよう。
【００２１】
前述の選択肢（容器と閉じ具が別個の形式、又は閉じ具を容器の延長部とする形式）のいずれの場合も、容器は、閉じ具３０が配置される小出し端部とは反対側に、当初は開いている底端部を有することができ、この底端部は、容器を逆さにして、小出しする製品を充填するのに使用できる。容器を逆さにして容器底端部から製品を充填した後、底端部は、適当な手段、例えば、底端部に付加できる別個の低端部閉じ手段（例えば、適当なねじ締結、スナップばめ、接着、熱接着等）により閉じることができよう。あるいはまた、容器のこのような開放底端部は、変形閉鎖させることもできよう（例えば、容器底端部が、熱と力を加える適当な処理の可能な熱可塑性材料製又は他の材料の場合）。
【００２２】
閉じ具の周壁又は胴部３２は、従来式内側ビード４２を備えたスカート４０（図７及び図８）を有することができ、これにより対応する容器の溝（図示せず）にスナップばめされ、閉じ具胴部３２を容器（図示せず）に固定することができる。
あるいはまた、閉じ具胴部３２は、容器及び閉じ具胴部３２に使用されている材料に応じて、誘導加熱接着、超音波接着、接着（ｇｌｕｉｎｇ）、その他のいずれかによって容器に永久取り付けしてもよい。
胴部３２の内部は、胴部３２と容器との間の強化漏れ止めシールを得るため、特別の又は従来式のシールを含むこともできる。図示の閉じ具のスナップばめ胴部３２には、その種の強化シールは採用されていない。
【００２３】
閉じ具胴部３２の図示の好ましい第１形式には、内方へ延びる頂縁部、周縁デッキ、リム（図３）のいずれかが形成されている。図７に示すように、胴部３２は、リム４４の下のスカート４０の上部外側に周縁肩４５を有している。図９に見られるように、閉じ具胴部３２は、周縁肩４５の内側に概して上方へ垂直に延びる頚部又は側壁４８を有している。周縁肩４５の上方の或る高さのところに、側壁４８から横方向外方へ周方向係止ビード５０（図９）が突出している。
図３に見られるように、指用又は親指用のタブ５３が、周縁肩４５と同じ高さのところにスカート４０から横方向外方へ突出している。これにより、閉じ具３０の全体を、望むときに、容器から容易に取り外すことができる。
【００２４】
図３から分かるように、閉じ具胴部３２によって形成される周壁は、第１取り出し口５１と、隣接の第２取り出し口５２とを画成している。第１取り出し口５１は、頂部３４の一部である第１の蓋６１により覆われるようにされ、第２取り出し口は、頂部３４の一部である第２の蓋６２によって覆われるようにされている。蓋６１，６２は、フィルムヒンジ５４により互いに結合されている。便宜上、フィルムヒンジ５４は、第１の蓋６１を第２の蓋６２に結合するための「第１」フィルムヒンジと呼ぶか、又はそう特徴付けることができ、他方、フィルムヒンジ３６は、第２の蓋６２を周壁又は閉じ具胴部３２に結合するための「第２」フィルムヒンジと呼ぶことができる。
【００２５】
第１の蓋６１は周部フランジ６５（図１、図２）を含み、第２の蓋６２は周部フランジ６７（図１、図２）を含んでいる。第１の蓋の周部フランジ６５は、内方へ延びる係止ビード６４（図９）を含んでいる。第２の蓋６２のフランジ６７は、同じように内方へ延びる係止ビード６６（図３）を有している。第１の蓋６１を閉じると（図８、図９）、係止ビード６４は、胴部の係止ビード５０の下方に僅かな間隔をおいて配置される。第１の蓋６１は、上向き力を受けると（例えば、意図しない衝撃又は使用者の指による意図的な押し上げ）、係止ビード６４、５０が接触するまで、上方へ僅かだけ移動できる。この時点で、係止ビード６４が胴部の係止ビード５０を越えて移動するには、事実上より大きい力を必要とする。
【００２６】
係止ビード５０，６４のこの構成は、閉じ具３０及び関連容器を正常に取り扱う限り、第１の蓋６１を閉位置に保持する機能を有している。しかし、この係止ビード構成は、十分な開き力を加えて、意図して開こうとすれば開くように考慮されている。更に、間隔をあけた係止ビード５０，６４の配置により、蓋６１を閉じた場合、製造公差による垂直方向寸法の僅かな変動に適応できる。第２の蓋の係止ビード６６も、閉じ具胴部の係止ビード５０と同じような機能を有している。  
【００２７】
図３を見ると、第１取り出し口６１は、第１形状を有し、容器から製品を注ぎ出すのに適応した寸法を有することを特徴とし、第２取り出し口６２は、第２形状を有し、容器から製品をすくい出すのに適応した寸法を有することを特徴としている。
図４を見ると、第１取り出し口６１は、第２取り出し口６２に隣接する末広がりの端部６８を有している。第１取り出し口６１は、また製品注ぎ出し用の先細形状を有する狭幅の端部７０を有している。引き続き図４を見ると、第１取り出し口の狭幅の端部７０は、少なくとも部分的に、２つの弓形の側部７２によって形成され、該側部が弓形の端部７４とつながり、該端部は、弓形の両側部７２の各々の半径より小さい半径を有している。
【００２８】
頂部３４の開閉を助けるため、第１の蓋６１は、外方へ延びるか、又は横方向へ延びる親指引掛け部７６（図２、図４）を含んでいる。頂部３４の両方の蓋６１，６２が閉じられている場合（図１、図６）には、第１の蓋６１は、親指に十分な力をかけて引き起こせば、容易に開くことができる。第１の蓋６１は、図２に示すような、事実上垂直の開位置へ移動できる。次いで、閉じ具３０を取り付けた容器を逆さにして、閉じ具３０の第１取り出し口６１から流動性の製品を注ぎ出すことができる。第１フィルムヒンジ５４は、開位置へ十分に付勢されるように成形でき、その結果、第１の蓋６１が閉位置から解放されると、閉じ具胴部３２に対しほぼ直角の位置に留められる。
【００２９】
容器から流動性の内容物をすくい出すか汲み出すことが望ましい場合は、第２の蓋６２も引き起こして、頂部３４全体を、図３に示す全開位置にすることができる。これにより、第２取り出し口５２が、第１取り出し口５１同様に露出され、頂部３４が図３に示すように全開にされると、双方の取り出し口により、より大きい組み合わせ取り出し口が画成される。第１と第２の取り出し口５１，５２の組み合わせ取り出し口により、器具を挿入して、流動性の内容物を容器からすくいだしたり汲み出したりできる、より大きい面積が得られる。
【実施例２】
【００３０】
図１０−図１５には、本発明の小出し閉じシステムの第２形式又は第２実施例３０Ａが示されている。閉じ具システム又は閉じ具３０Ａは、閉じ具胴部３２Ａの形式の周壁を含み、該胴部は、図１−図９に示した第１実施例に関連して説明した胴部３２と事実上等しい形状を有している。図１５に見られるように、閉じ具胴部３２Ａはスカート４０Ａを含み、スカート４０Ａは、図１−図９に示した閉じ具胴部３２の第１実施例に関して既に説明したのと等しい形式で容器に閉じ具胴部を取り付けるためのスナップばめ用ビード４２Ａを有している。
【００３１】
閉じ具胴部３２Ａは、また周縁肩４５Ａと、短い周縁頚部又は側壁４８Ａとを含み、該側壁が横方向に突出する係止ビードを有している（縮尺図では分からないが、図９の第１実施例に関連して既に説明した係止ビード５０と同じである）。
図１５から分かるように、閉じ具胴部３２Ａは第１取り出し口５１Ａと第２取り出し口５２Ａとを有している。第１取り出し口５１Ａは、第１形状を有し、容器から製品を注ぎ出すのに適応した寸法を有している。第２取り出し口５２Ａは、第２形状を有し、容器内部より製品をすくい出すのに適応した寸法を有している。
【００３２】
第１取り出し口５１Ａは、固定パネル５５Ａによって第２取り出し口５２Ａから分離されている（図１５）。固定パネル５５Ａは、閉じ具胴部３２Ａと一体であり、該固定パネルと、付加された第１の蓋６１Ａと、付加された第２の蓋６２Ａとを含む閉じ具頂部の一部を形成している。図１５に見られるように、第１の蓋６１Ａは、固定パネル５５Ａに第１フィルムヒンジ５７Ａを介して結合され、第２の蓋６２Ａは、第２フィルムヒンジ５９Ａを介して固定パネル５５Ａに結合されている。第１の蓋６１Ａは、閉じられた場合、第１取り出し口５１Ａを覆うようにされている（図１０、図１１）。この目的のため、第１の蓋６１Ａにはフランジ６５Ａ（第１の蓋６１Ａが閉じられた場合、閉じ具胴部の頚部又は側壁４８Ａに横付けに垂下するように）（図１１、図１５）が形成されている。フランジ６５Ａは、内方へ突出した係止ビード６４ａを含み、該係止ビードが、頚部又は側壁４８Ａの係止ビードと係止される。係止の形式は、図９に示した実施例に関連して説明したように、第１実施例の係止ビード６４が胴部係止ビード５０と係止するのと同じ形式である。
【００３３】
第２の蓋６２Ａは、同じように閉じ具胴部３２Ａに係止される係止ビード６６Ａ（図１５）を有する類似のフランジ６７Ａを備えている。
図１５に見られるように、第１の蓋６１Ａは引き起こしタブ７６Ａを有し、第２の蓋６２Ａは引き起こしタブ７７Ａを有している。蓋６１Ａ、６２Ａは、それぞれ引き起こしタブ７６Ａ，７７Ａに力を加えることで引き起こすことができる。
【００３４】
閉じ具３２Ａの頂部を横切って延びる固定パネル５５Ａを除いて、閉じ具胴部３２Ａは、第１取り出し口５１Ａと第２取り出し口５２Ａを、図１−図９に関連して説明した第１実施例の取り出し口５１，５２と事実上同じ形状に画成している。しかし、第２実施例の蓋６１Ａ，６２Ａは各々、図１５に見られるように、フィルムヒンジにより個別に固定パネル５５Ａに結合されているので、各取り出し口５１Ａ，５２Ａから個別に取り出しが可能である。したがって、第１の蓋５１Ａは閉じたまま、第２の蓋６２Ａを開けて第２取り出し口５２Ａを露出させることが可能である。これは、図１−図９で説明した第１実施例の閉じ具３０の場合には不可能な特徴である。他方、第２実施例の閉じ具３０Ａは、閉じ具胴部３２Ａの頂部を横切って延在する固定パネル５５Ａを含むため、閉じ具胴部３２Ａの内部全域に妨げられることなく接近することは可能ではない。これに対し、第１実施例の閉じ具３０の頂部３４は、第１取り出し口５１，５２の一方又は双方への完全接近を妨げるような、開放胴部３２に差し渡された構造物が存在しないので、全体を開位置へ移動させることができる。
【実施例３】
【００３５】
図１６−図１９には、本発明の小出し閉じシステムの第３実施例３０Ｂが示されている。この第３実施例の閉じ具３０Ｂは、図１−図９で説明した第１実施例の閉じ具３０と事実上等しい。図１９に見られるように、第３実施例の閉じ具３０Ａは、フィルムヒンジ３６Ｂによって頂部３４Ｂに結合された閉じ具胴部３２Ｂを有しており、該頂部が、フィルムヒンジ５４Ｂにより結合された第１の蓋６１Ｂと第２の蓋６２Ｂとを含んでいる。
【００３６】
閉じ具胴部３２Ｂは、内方へ延びる周部の頂縁又はリム４４Ｂを有し、該リムは、図４に示した第１実施例の閉じ具３０の頂縁又はリム４４と類似しているが、異なる点は、第３実施例の頂縁４４Ｂが、第１取り出し口５１Ｂの狭幅の注出端部のところで、より幅広の、形状の異なるフランジ又は棚状部８２Ｂに続いている点である（図１８）。棚状部８２Ｂは、横方向内方に突出し、閉じ具胴部３２Ｂの頂縁４４Ｂと同一平面をなす平らな頂面を有している。棚状部８２Ｂは、流れ制限部材として機能し、第１取り出し口５１Ｂの注出区域をより狭くしている。
【００３７】
この構成は、いくつかの用途の場合、小出し時に開いた閉じ具から流動性材料を細い流れで小出しにするのを助ける。これによって、閉じ具胴部３２Ｂの下部（容器に取り付けられる）を容器の広い口に適応する大きい寸法に成形（又は製作）することが可能になる。閉じ具胴部３２Ｂの構造の大部分は、広口の容器に合うように大きく作ることができ、それにより、閉じ具胴部３２Ｂの適切な取り付けが容易になり、かつ望ましい美的外観も得ることができる。しかし、内方へ延びる棚状部８２Ｂにより画成される狭い注出口は、特に或る種の流動性材料、例えば挽いたコーヒーや砂糖の場合に、注出作業の実施を制御することができるが、それらの場合に限られるものではない。
【００３８】
棚状部８２Ｂを利用することにより融通性のある製造が容易になる。例えば単一の共通の金型キャビティを使用して、第１実施例の閉じ具３０や第３実施例の閉じ具３０Ｂを製造できよう。これは、第３実施例の閉じ具３０Ｂを成形するさいに、取り外し可能な金型インサートを共通の金型キャビティ内で使用して棚状部８２Ｂを画成することで実現できる。金型インサートは、第１実施例の閉じ具３０の成形時には取り外される。
【実施例４】
【００３９】
図２０−図２３には、本発明の第４実施例が示されている。第４実施例の閉じ具３０Ｃは、図１６−図１９に関連して説明した第３実施例の閉じ具３０Ｂと類似しているが、異なる点は、閉じ具３０Ｂの第３実施例で採用されている内方へ延びる平らな棚状部８２Ｂが無い点である。特に、閉じ具３０Ｃの第４実施例の胴部３２Ｃは頂縁又はリム４４Ｃを含み、該リムが、第２取り出し口５２Ｃの縁部分を形成し（図２２）、かつ第１取り出し口５１Ｃの縁部分に沿って延びている。頂縁又はリム４４Ｃからは内側フランジ４６Ｃが下方へ延びている。頂縁又はリム４４Ｃ及びフランジ４６Ｃは、第１取り出し口５１Ｃの注出端部のところで端壁１０１Ｃが直角に終わっている（図２１−図２３）。端壁１０１Ｃから先には、閉じ具胴部３２Ｃに弓形の傾斜部又は注出口１０３Ｃが形成されている（図２０−図２３）。
【００４０】
傾斜部１０３Ｃは、幾つかの注出の用途に好都合である。特に、幾つかの比較的大きい粒状の品目（例えば約４．６ｍｍ以上の直径のスナック食品片）は、より容易に、かつより制限された放出形態で傾斜部１０３Ｃを超えて流出できる。
図２３に見られるように、傾斜部１０３Ｃは底縁１０５Ｃを有し、該底縁は容器（図示せず）の頂部に係合でき、流動性材料が注ぎ出されるさい、材料が傾斜部の裏に入り込むことが防止される。底縁１０５Ｃは、フランジ４６Ｃの底部として続いていることで、フランジ４６Ｃの底部も容器の頂部に係合し、流動性材料が注出されるさい、フランジ４６Ｃの裏に入り込むのが防止される。
第３及び第４実施例各々の平らな棚状部８２Ｂ及び傾斜部１０３Ｃは、図１０−図１５に関して説明した第２実施例の変更態様として、それぞれ採用することもできる。
【実施例５】
【００４１】
図２４−図３２には第５実施例の閉じ具３０Ｄが示されている。この第５実施例の閉じ具３０Ｄは、図２０−図２３に関して説明した第４実施例に類似している。しかし、第５実施例の閉じ具３０Ｄは、間隔をおいた２つのヒンジ片３６Ｄ（第４実施例で用いた１つのヒンジの代えて用いられている）によって結合された周壁又は胴部３２Ｄと頂部３４Ｄとを有し、更に、後述する幾つかの付加的特徴を含んでいる。
【００４２】
第５実施例の閉じ具３０Ｄは、第１取り出し口５１Ｄ（図２５）と第２取り出し口５２Ｄ（図２５）とを有している。周壁又は胴部３２Ｄは、頂縁又は周縁デッキ又はリム４４Ｄを含み、これらのいずれかが、第２取り出し口５２Ｄの縁部分を形成し（図２５）、かつ第１取り出し口５１Ｄの縁部分に沿って延在している。内側フランジ４６Ｄ（図２４）は、頂縁又は周縁デッキ又はリム４４Ｄから下方へ延びている。リム４４Ｄとフランジ４６Ｄは、閉じ具胴部３２Ｄの各側で、第１取り出し口の注出端部のところで小さい端壁１０１Ｄ（図２４）として終わっている。端壁１０１Ｄより先には、閉じ具胴部３２Ｄにより注出区域又は注ぎ口１０３Ｄ（図２４）が画成されている。
閉じ具胴部３２Ｄは周部に係止ビード５０Ｄ（図２４）を有し、該係止ビードは、既述の閉じ具３０の第１実施例の場合の、図９に示した係止ビード５０と類似している。係止ビード５０Ｄは、横方向外方へ少し突出し、頂部３４Ｄが閉じられると、頂部３４Ｄの複数部分に設けた係止ビードと係止するようにされている。
【００４３】
頂部３４Ｄは第１の蓋６１Ｄ（図２４）を含み、該蓋がヒンジ５４Ｄにより第２の蓋６２Ｄに結合されている。第２の蓋６２Ｄの内側には一対のリブ６３Ｄが含まれ、該リブにより構造物の安定性と剛性が高められる。
第１の蓋６１Ｄは周部フランジ６５Ｄ（図２４）を含み、第２の蓋６２Ｄは周部フランジ６７Ｄ（図２４）を含んでいる。第１の蓋の周部フランジ６５Ｄは、内方へ延びる係止ビード６４Ｄ（図２４）を含んでいる。第２の蓋６２Ｄの周部フランジ６７Ｄは、同じように内方へ延びる係止ビード６６Ｄ（図２４）を有している。第１の蓋６１Ｄが閉じられると、係止ビード６４Ｄは、閉じ具胴部の係止ビード５０Ｄの下方に僅かな間隔をおいて位置せしめられる。
【００４４】
第１の蓋６１Ｄは、上向き力が加えられると（例えば意図しない衝撃により、又は使用者の指又は親指による意図した引き起こしにより）、係止ビード６４Ｄ，５０Ｄが接触するところまで僅かに上方へ移動できる。この時点で、係止ビード６４Ｄが閉じ具胴部の係止ビード５０Ｄを超えて通過するには、事実上より大きい力が必要とされる。係止ビード５０Ｄ，６４Ｄのこの配置は、閉じ具３０Ｄ及び関連容器の正常な取り扱い時に、第１の蓋６１Ｄを閉位置に保持する機能を有している。しかし、この係止ビードは、蓋６１Ｄを開ける意図で、十分な開き力が加えられた場合には、蓋６１Ｄが開くように構成されている。更に、間隔をおいて係止ビード５０Ｄ，６４Ｄを配置することにより、蓋６１Ｄが閉じ状態の場合、製作公差による垂直方向での寸法の僅かな差異に適応できる。
【００４５】
第２の蓋の係止ビード６６Ｄは、第２の蓋６２Ｄが閉状態の場合、胴部の係止ビード５０Ｄの下方に僅かな間隔をおいて位置するように構成されている。第２の蓋６２Ｄは、上向き力（例えば意図しない衝撃、又は使用者の指又は親指による意図した引き起こしによる）を加えられると、係止ビード６６Ｄ，５０Ｄが互いに接触するところまで僅かに上方へ移動できる。
第２の蓋６２Ｄを開くには、この時点で、更に大きい力を加えねばならない。係止ビード６６Ｄ，５０Ｄは、閉じ具３０Ｄ及び関連容器の正常な取り扱い時には、第２の蓋６２Ｄを閉位置に保持するのに役立つ。しかし、容器が比較的大量の又は比較的重い製品を内包するような用途では、第１の蓋６１Ｄを開いて容器を傾けたり逆さにしたりして、製品を小出しにする場合、容器内の製品の重量により、閉じた第２の蓋６２Ｄの比較的大きい内面積に、かなり大きい全力が加わる可能性がある。第２の蓋６２Ｄは、このように内側に大きい力が加わることによって、使用者が意図しないにも拘らず、開いてしまうことがある。意図せずに第２の蓋６２Ｄが開く可能性は、容器を逆さにして揺り動かす場合に増大するだろう。
【００４６】
第２の蓋６２Ｄのこのような意図しない開放の可能性を最小化するために、副次係止システムが設けられ、この副次係止システムは、閉じ具胴部の頂縁又はリム４４Ｄ（図２４）に設けた少なくとも１つの係止穴１２０Ｄと、第２の蓋６２Ｄ（図２４）に設けた少なくとも１つの協働する係止突起１３０Ｄとを含んでいる。現時点で好適なこの実施例では、閉じ具胴部３２Ｄには４つの係止穴１２０Ｄが設けられ、閉じ具の第２の蓋６２Ｄには４つの関連係止突起１３０Ｄが設けられている。この数は、とりわけ閉じ具３０Ｄの全体寸法、容器内の製品の重量、閉じ具３２Ｄが作られている材料等に応じて、減らすことも増すこともできよう。
【００４７】
図２６−図２８に見られるように、各係止穴１２０Ｄは、外方へ向いて面取りされた又は切頭円錐形の引き込み面１２２Ｄ（図２８）と、概して円筒形の面又は穴１２４Ｄ（図２８）とを含んでいる。円筒形の面１２４Ｄの下方には、より大きい区域があり、この区域が穴又は面１２４Ｄの底部の周囲に係止肩１２６Ｄ（図２８）を形成している。
図２９−図３１に見られるように、各係止突起１３０Ｄは、概して円筒形の近位部分１４２Ｄを有している。近位部分１４２Ｄの外方区域には、横方向又は半径方向外方に突出した係止ビード１４４Ｄ（図２９、図３１）が設けられている。各係止突起１３０Ｄの遠位端は先細の導入面を有し、この導入面が、図示の好適実施例では、円錐台形の導入面１４６Ｄとなっている。
【００４８】
第２の蓋６２Ｄが閉じ状態（図３２）の場合、係止突起の導入面１４６Ｄは、閉じ具胴部の係止穴１２０Ｄの先細引き込み面１２２Ｄにはめ込まれ、案内される。係止穴１２０Ｄを画成する局所の構造部は、半径方向外方へ拡張することで（一時的に弾性）変形し、それによって係止突起１３０Ｄの挿入が調整され、かつ係止突起の係止ビード１４４Ｄが、閉じ具胴部３２Ｄの係止穴１２０Ｄの底部を囲む係止肩１２６Ｄの内側に位置するよう調整される。係止突起の係止ビード１４４Ｄが係止肩１２６Ｄのところを内方へ完全に通り過ぎると、係止穴１２０Ｄを画成する閉じ具胴部構造部は、事実上応力の加わらない当初の小直径形状に戻り、係止突起１３０Ｄ（図３２）とのスナップばめが実現する。
【００４９】
係止穴１２０Ｄと係止突起１３０Ｄによって形成されるスナップばめにより、確実な係止システムが作られ、第２の蓋６２Ｄを開くには、より大きい力が必要となり、この必要とされる開き力は、重い製品を内包する閉じ状態の容器を逆さにして揺り動かした場合に第２の蓋６２Ｄの内側に加わる力よりも大きい。第２の蓋６２Ｄを開けるには、使用者は、より大きな開ける力を蓋６２Ｄに加えねばならない。
【００５０】
第１の蓋６１Ｄと閉じ具胴部３２Ｄにも、類似の副次係止システムの係止突起と係止穴を各々備えることができる。しかし、閉じ具３２Ｄがそれ用に設計されている典型的な用途の場合、第１の蓋６１Ｄが比較的小さいので、この蓋６１Ｄの内面の面積は比較的小さい。したがって、閉じ具３２Ｄがそれ用に考えられている典型的な用途の場合、揺り動かされる製品によって閉じた小さい第１の蓋６１Ｄに加わる衝撃力は、第１の蓋６１Ｄを開けるだけの十分な大きさにはならないだろう。したがって、小さい第１の蓋６１Ｄの意図しない開放を防止するには、第１の蓋の主要な係止ビード６４Ｄ及び協働する閉じ具胴部の係止ビード５０Ｄを使用するだけで、大抵の用途の場合、十分と思われる。
【００５１】
閉じ具３０Ｄに採用されたような、閉じた蓋を拘束する前述の係止突起・係止穴システムは、また図１−図２３に示した閉じ具（３０，３０Ａ，３０Ｂ，３０Ｃ）の第１から第４までの実施例にも採用できよう。
閉じ具３０Ｄに採用されたような、閉じた蓋を拘束する前述の係止突起・係止穴システムは、また１つだけの蓋又は３つ以上の蓋を有する閉じ具と一緒にも使用できよう。それらの蓋は、閉じシステムの周壁又は基部につなぎ部材又はヒンジで付加することができようが、該単一の又は複数の蓋を完全に取り外し可能に構成することも可能だろう。
本発明の以上の詳細な説明及び図面から多くの変化形や変更態様が、新規な概念の真の精神及び範囲又は本発明の原則を逸脱することなく可能なことは、容易に理解されよう。
【図面の簡単な説明】
【００５２】
【図１】本発明の小出し閉じ具システムの第１実施例の斜視図。容器（図示せず）に取り付けるか、容器の一部として使用する小出し閉じ具形式に具体化したものを完全に閉じた状態で示す図。（実施例１）
【図２】図１同様の斜視図。但し、図２では小出し閉じ具の２つの蓋の１つが開位置で示されている。
【図３】図１に示した小出し閉じ具の第１実施例の斜視図。両方の蓋が開位置で示されている。
【図４】図３に示した完全に開状態の閉じ具の平面図。
【図５】図４に示した完全に開状態の閉じ具の側面図。
【図６】図１に示した完全に閉状態の閉じ具の側面図。
【図７】図４の７−７平面に概して沿って截断した拡大断面図。
【図８】図１の８−８平面に概して沿って截断した拡大断面図。
【図９】図８に「図９」として示した円内区域の拡大部分断面図。
【図１０】本発明の小出し閉じ具システムの第２実施例の斜視図。容器（図示せず）に取り付けるか、容器の一部として使用する小出し閉じ具形式に具体化したものを完全に閉じた状態で示す図。（実施例２）
【図１１】図１０の１１−１１平面に概して沿って截断し、著しく拡大して示す断面図。
【図１２】図１０同様の斜視図。但し、図１２では小出し閉じ具頂部の２つの蓋の一方が開位置で示されている。
【図１３】図１０に示した小出し閉じ具の第２実施例の斜視図。但し、図１３では、小出し閉じ具頂部の２つの蓋の他方が開位置で示されている。
【図１４】図１３同様の斜視図。但し、図１４では、蓋の両方が開位置で示されている。
【図１５】図１４の１５−１５平面に概して沿って截断し、著しく拡大して示す断面図。
【図１６】本発明の小出し閉じ具システムの第３実施例の斜視図。容器（図示せず）に取り付けるか、容器の一部として使用する小出し閉じ具形式に具体化したもので、小出し閉じ具頂部の双方の蓋を開けた状態で示す図。（実施例３）
【図１７】図１６に示した閉じ具の第３実施例の斜視図。但し、図１７には２つの蓋の一方が閉位置で、他方の蓋が開位置で示されている。
【図１８】図１６に示した小出し閉じ具第３実施例の平面図。
【図１９】図１８の１９−１９平面に概して沿って截断した断面図。
【図２０】本発明の小出し閉じ具システムの第４実施例の斜視図。容器（図示せず）に取り付けるか、容器の一部として使用する小出し閉じ具形式に具体化したもので、小出し閉じ具頂部の双方の蓋を開いた状態で示す図。（実施例４）
【図２１】図２０に示した開状態の閉じ具の別の斜視図。
【図２２】図２０及び図２１に示した開状態の閉じ具の平面図。
【図２３】図２２の２３−２３平面に概して沿って截断した断面図。
【図２４】本発明の小出し閉じ具システムの第５実施例の斜視図。容器（図示せず）に取り付けるか、容器の一部として使用する小出し閉じ具形式に具体化したもので、小出し閉じ具頂部の双方の蓋を開いた状態で示す図。（実施例５）
【図２５】図２４に示した開状態の閉じ具の平面図。
【図２６】図２４に図２６として示した破線円内の閉じ具胴部部分を著しく拡大した部分図。
【図２７】図２５に図２７として示した破線円内の閉じ具胴部区域を著しく拡大した部分図。
【図２８】図２５に図２７として示した破線円内の閉じ具胴部区域を図２５の２８−２８線に沿って截断し、著しく拡大して示す部分断面図。
【図２９】図２４に図２９として示した破線円内の閉じ具頂部区域を著しく拡大した部分図。
【図３０】図２５に図３０として示した破線円内の閉じ具頂部区域を著しく拡大した部分平面図。
【図３１】図２５に図３０として示した破線円内の閉じ具頂部区域を図２５の３１−３１線に沿って截断し、著しく拡大して示す部分断面図。
【図３２】図２８同様の著しく拡大した部分断面図。但し、図３２では、頂部が完全に閉じられ、頂部の一部が閉じ具胴部の一部と係止された状態で示されている。
【符号の説明】
【００５３】
３０  小出し閉じ具
３２  閉じ具の胴部又は基部
３４  閉じ具の頂部
３６  ヒンジ
４０  スカート
４２  内側ビード
４４  リム
４５  肩
４８  側壁
５０  胴部の係止ビード
５１  第１取り出し口
５２  第２取り出し口
５４  フィルムヒンジ
５９Ａ  第２フィルムヒンジ
６１  第１の蓋
６２  第２の蓋
６４  蓋の係止ビード
６５，６７  周部フランジ
７０  第１取り出し口の先細端部
７２  先細端部両側の弓形部分
７４  先細端部の弓形端部分
７６  親指用の引き起こしタブ
１２０Ｄ  胴部の係止穴
１２２Ｄ  引き込み面
１２４Ｄ  円筒面
１２６Ｄ  係止肩
１３０Ｄ  係止突起
１４２Ｄ  近位の円筒形部分
１４４Ｄ  係止突起の係止ビード
１４６Ｄ  面取りされた導入面
【図１】
2008520513.tif 000003
【図２】
2008520513.tif 000004
【図３】
2008520513.tif 000005
【図４】
2008520513.tif 000006
【図５】
2008520513.tif 000007
【図６】
2008520513.tif 000008
【図７】
2008520513.tif 000009
【図８】
2008520513.tif 000010
【図９】
2008520513.tif 000011
【図１０】
2008520513.tif 000012
【図１１】
2008520513.tif 000013
【図１２】
2008520513.tif 000014
【図１３】
2008520513.tif 000015
【図１４】
2008520513.tif 000016
【図１５】
2008520513.tif 000017
【図１６】
2008520513.tif 000018
【図１７】
2008520513.tif 000019
【図１８】
2008520513.tif 000020
【図１９】
2008520513.tif 000021
【図２０】
2008520513.tif 000022
【図２１】
2008520513.tif 000023
【図２２】
2008520513.tif 000024
【図２３】
2008520513.tif 000025
【図２４】
2008520513.tif 000026
【図２５】
2008520513.tif 000027
【図２６】
2008520513.tif 000028
【図２７】
2008520513.tif 000029
【図２８】
2008520513.tif 000030
【図２９】
2008520513.tif 000031
【図３０】
2008520513.tif 000032
【図３１】
2008520513.tif 000033
【図３２】
2008520513.tif 000034
【手続補正書】
【提出日】平成19年5月22日(2007.5.22)
【手続補正１】
【補正対象書類名】特許請求の範囲
【補正対象項目名】全文
【補正方法】変更
【補正の内容】
【特許請求の範囲】
【請求項１】
製品を収納可能な内部を有する容器用の小出し閉じ具システムにおいて、前記小出し閉じ具システムが、
（Ａ）容器内部へ通じる開口を囲んで容器から延びるようにされた周壁を含み、該周壁が第１取り出し口と第２取り出し口とを画成し、該第１取り出し口が、第１形状と、前記容器から前記製品を注出するのに適応する寸法とを有し、前記第１取り出し口が、広幅の端部と、注出用の先細形状を有する狭幅の端部とを有し、前記第２取り出し口が、前記第１取り出し口の広幅端部に隣接配置され、第２形状と、前記容器内部から前記製品をすくい出すのに適応する寸法とを有しており、前記小出し閉じ具システムが、また
（Ｂ）前記周壁と一体の頂部を含み、該頂部が、
（１）第１の蓋と、
（２）第２の蓋と、
（３）前記第１の蓋を前記第２の蓋に結合する第１フィルムヒンジを含み、これにより前記第１取り出し口が隠される閉位置と前記第１取り出し口が露出する開位置間での前記第１の蓋の移動に適応するようにされ、更に、前記小出し閉じ具システムが、
（Ｃ）第２フィルムヒンジを含み、該第２フィルムヒンジが前記周壁及び前記第２の蓋と一体に構成されることで、前記第２の蓋が前記周壁と結合され、それにより前記第２取り出し口が隠される閉位置と前記第２取り出し口が露出する開位置間での前記第２の蓋の移動に適応するようにされている、製品を収納可能な内部を有する容器用の小出し閉じ具システム。
【請求項２】
前記小出し閉じ具システムが、容器内部への開口を有する容器用の小出し閉じ具であり、前記閉じ具は、前記容器とは別個だが、前記開口を囲んで前記容器に取り外し可能に付加取り付け可能である、請求項１に記載された小出し閉じ具システム。
【請求項３】
前記第１取り出し口の狭幅端部が少なくとも部分的に２つの弓形側部によって画成され、該側部が、これら側部各々の半径より小さい半径を有する弓形端部に続いている、請求項１に記載された小出し閉じ具システム。
【請求項４】
前記周壁が閉じ具胴部であり、該胴部が、容器上にスナップばめされる構造部を係止するためのビードを含む、請求項１に記載された小出し閉じ具システム。
【請求項５】
前記第１の蓋と前記第２の蓋の各々が、前記周壁の上部に沿って下方へ延びる周部フランジを有している、請求項１に記載された小出し閉じ具システム。
【請求項６】
前記各蓋の前記周部フランジが横方向内方に延びる係止ビードを有し、
前記周壁が横方向外方へ延びる係止ビードを有し、この係止ビードが、前記第１の蓋の前記横方向内方に延びる係止ビードと、前記第２の蓋の前記横方向内方へ延びる係止ビードと係止され、
前記周壁が少なくとも１つの係止穴を有するリムを含み、該係止穴が、前記リム下側の周方向係止肩によって画成され、
前記リムが、少なくとも１つの前記係止穴の周囲で横方向に一時的に弾性変形可能であり、
前記蓋の少なくとも一方の蓋が少なくとも１つの係止突起を含み、該蓋が閉じられるさいに前記係止突起が前記少なくとも１つの係止穴内へ押し込まれ、前記少なくとも１つの係止突起が横方向に延びる係止ビードを含むことで、前記係止突起が前記係止穴内へ押し込まれるにつれて、前記リムが前記係止穴の周囲で横方向に弾性変形して、前記係止穴の寸法が一時的に拡張され、その結果、前記係止突起が前記係止穴に受容されると、前記係止突起の係止ビードが前記係止肩の内側にスナップばめ式にはめ込まれることになり、それによって前記蓋を開けるさいの抵抗が高められる、請求項５に記載された小出し閉じ具システム。
【請求項７】
前記周壁が、閉位置にある前記蓋の一方の蓋より横方向外方へ突出する引き起こしタブを含む、請求項１に記載された小出し閉じ具システム。
【請求項８】
前記第１取り出し口の狭幅の端部のところの周壁が横方向内方に突出する部分を含む、請求項１に記載された小出し閉じ具システム。
【請求項９】
前記周壁がリムを有し、
前記横方向内方へ突出する部分が、前記周壁のリムと同一平面をなす頂面を有する概して平らな棚状部である、請求項８に記載された小出し閉じ具システム。
【請求項１０】
前記周壁がリムを有し、
前記横方向内方へ突出する部分が、前記周壁のリムから前記第１取り出し口内へ、斜め下方に延びる弓形傾斜部である、請求項８に記載された小出し閉じ具システム。
【請求項１１】
製品を収納可能な内部を有する容器用の小出し閉じ具システムにおいて、前記小出し閉じ具システムが、
（Ａ）容器内部へ通じる開口を囲んで前記容器から延びるようにされた周壁と、
（Ｂ）前記周壁と一体の頂部とを含み、該頂部が、
（１）固定パネルを含み、該固定パネルが、前記周壁と一体であり、かつ第１取り出し口を第２取り出し口から分離するために前記周壁に差し渡されて延びており、しかも、
（ａ）前記第１取り出し口が、第１形状を有し、かつ前記容器から製品を注出するのに適応する寸法を有しており、
（ｂ）前記第１取り出し口が、前記固定パネルに隣接して広幅の端部を有し、かつ（ｉ）前記固定パネルとは反対側に、（ｉｉ）注出用の先細形状の狭幅端部を有しており、
（ｃ）前記第２取り出し口が、第２形状を有し、かつ前記容器内部から前記製品をすくい出すのに適応する寸法を有しており、前記頂部が、また
（２）第１の蓋と、
（３）第２の蓋と、
（４）前記第１取り出し口が隠される閉位置と前記第１取り出し口が露出する開位置間での前記第１の蓋の移動に適応するように、前記第１の蓋を前記固定パネルに結合する第１フィルムヒンジと、
（５）前記第２取り出し口が隠される閉位置と前記第２取り出し口が露出する開位置間での前記第２の蓋の移動に適応するように、前記第２の蓋を前記固定パネルに結合する第２フィルムヒンジとを含む、製品を収納可能の内部を有する容器用の小出し閉じ具システム。
【請求項１２】
前記小出し閉じ具システムが、容器内部へ通じる開口を有する容器用の小出し閉じ具であり、該閉じ具は、前記容器とは別個のものだが、前記開口を囲んで前記容器に取り外し可能に取り付け可能である、請求項１１に記載された小出し閉じ具システム。
【請求項１３】
前記第１取り出し口の狭幅端部が、少なくとも部分的に２つの僅かに弓形の側部を画成し、該側部が、これら側部間に延在する、より弓形の部分とつながっている、請求項１１に記載された小出し閉じ具システム。
【請求項１４】
前記周壁が閉じ具胴部であり、該閉じ具胴部が容器上にスナップばめされる構造部を係止するためのスナップばめ用ビードを含む、請求項１１に記載された小出し閉じ具システム。
【請求項１５】
前記第１の蓋と第２の蓋各々が、前記周壁の上部に沿って下方へ延びる周部フランジを有する、請求項１１に記載された小出し閉じ具システム。
【請求項１６】
前記各蓋の前記周部フランジが横方向内方へ延びる係止ビードを有し、
前記周壁が、前記第１の蓋の前記横方向内方へ延びる係止ビードと、前記第２の蓋の前記横方向内方へ延びる係止ビードとに係止するための、横方向外方へ延びる係止ビードを有し、
前記周壁がリムを有し、該リムが、リム下側の周方向の係止肩により画成される少なくとも１係止穴を有し、
前記リムが、前記少なくとも１係止穴周囲で横方向に一時的に弾性変形可能であり、
前記蓋の少なくとも一方の蓋が少なくとも１係止突起を含み、前記蓋が閉じられるさいに前記係止突起が前記少なくとも１係止穴内へ押し込まれ、該係止突起が横方向に延びる係止ビードを含むことにより、前記係止突起が前記係止穴内へ押し込まれるにつれて、前記リムが前記係止穴の周囲で横方向に弾性変形し、前記係止穴の寸法が一時的に拡張するため、前記係止突起が前記係止穴に受容された場合、前記係止突起の係止ビードが前記係止肩の内側にスナップばめ式にはめ込まれることになり、それによって前記蓋を開けるさいの抵抗が高められる、請求項５に記載された小出し閉じ具システム。
【請求項１７】
前記第１及び第２フィルムヒンジが平行である、請求項１１に記載された小出し閉じ具システム。
【請求項１８】
前記周壁が、前記蓋の一方の蓋が閉状態の場合に、該蓋から横方向外方に突出する引き起こしタブを含む、請求項１１に記載された小出し閉じ具システム。
【請求項１９】
前記第１取り出し口の狭幅端部が横方向内方へ突出する部分を含む、請求項１１に記載された小出し閉じ具システム。
【請求項２０】
製品を収納可能な内部を有する容器用の小出し閉じ具システムにおいて、前記小出し閉じ具システムが、
（Ａ）容器内部へ通じる開口を囲んで容器から延びるようにされた周壁を含み、該周壁が第１取り出し口と第２取り出し口とを画成し、前記第２取り出し口を画成する前記周壁部分がリムを有し、該リムが、リム下側の周方向肩によって画成される少なくとも１係止穴を有し、前記リムが前記係止穴周囲で一時的に横方向に弾性変形可能であり、前記小出し閉じ具システムが、また
（Ｂ）前記周壁と一体に構成された頂部を含み、該頂部が
（１）前記第１取り出し口が隠される閉位置と前記第１取り出し口が露出する開位置間を移動可能な第１の蓋と、
（２）前記第２取り出し口が隠される閉位置と前記第２取り出し口が露出する開位置間を移動可能な第２の蓋とを含み、前記第２の蓋が少なくとも１係止突起を含み、該蓋が閉じられるさい前記少なくとも１係止穴内へ前記係止突起が押し込まれ、前記少なくとも１係止突起が横方向に延びる係止ビードを含むことで、前記少なくとも１係止突起が前記少なくとも１係止穴内へ押し込まれるにつれて、前記リムが前記少なくとも１係止穴周囲で横方向に弾性変形し、前記少なくとも１係止穴の寸法が一時的に拡張される結果、前記少なくとも１係止突起の係止ビードが、前記少なくとも１係止突起が前記少なくとも１係止穴に受容された場合、スナップばめ式に前記係止肩の内側にはめ込まれることになり、それにより前記蓋を開くさいの抵抗が高められる、製品を蓄えることのできる内部を有する容器用の小出し閉じ具システム。
【請求項２１】
前記小出し閉じ具システムが、容器内部へ通じる開口を有する容器用の小出し閉じ具であり、
前記閉じ具が、前記容器とは別個のものだが、前記開口を囲んで該容器に取り外し可能に取り付け可能である、請求項２０に記載された小出し閉じ具システム。
【請求項２２】
前記第１の蓋及び第２の蓋各々が、前記周壁上部に沿って下方へ延びる周部フランジを含み、
前記各蓋の前記周部フランジが横方向内方に延びる係止ビードを有し、
前記周壁が、前記第１蓋の前記横方向内方に延びる係止ビードと、前記第２蓋の前記横方向内方に延びる係止ビードとに係止するための横方向外方へ延びる係止ビードを有する、請求項２０に記載された小出し閉じ具システム。
【請求項２３】
前記頂部が、更に、前記第１の蓋を前記第２の蓋と結合するための第１フィルムヒンジを含むことで、前記第１取り出し口が隠される閉位置と前記第１取り出し口が露出する開位置間での前記第１の蓋の移動に適応せしめられ、
前記閉じ具システムが、更に、前記第２の蓋を前記周壁と結合するための、前記周壁及び前記第２の蓋と一体の第２フィルムヒンジを含み、それにより前記第２取り出し口が隠される閉位置と前記第２取り出し口が露出する開位置間での前記第２の蓋の移動に適応せしめられる、請求項２０に記載された小出し閉じ具システム。
【請求項２４】
前記頂部が、更に、
（１）固定パネルを含み、該固定パネルが、前記周壁と一体に構成され、かつ前記周壁を差し渡して延在することで、前記第１取り出し口を画成し、該第１取り出し口が、該固定パネルにより前記第２取り出し口から分離され、前記頂部が、また、
（２）前記第１の蓋を前記固定パネルに結合する第１フィルムヒンジを含み、これにより、前記第１取り出し口が隠される閉位置と前記第１取り出し口が露出される開位置間での前記第１の蓋の移動に適応するようにされ、前記頂部が、更に、
（３）前記第２の蓋を前記固定パネルに結合する第２フィルムヒンジを含み、これにより、前記第２取り出し口が隠される閉位置と前記第２取り出し口が露出される開位置間での前記第２の蓋の移動に適応するようにされている、請求項２０に記載された小出し閉じ具システム。
【請求項２５】
製品を収納可能な内部を有する容器用の小出し閉じ具システムにおいて、前記小出し閉じ具システムが、
（Ａ）前記容器内部へ通じる開口を囲んで前記容器から延びるようにされた周壁を含み、該周壁が少なくとも１取り出し口を画成し、少なくとも前記周壁部分がリムを有し、該リムが、リム下側の周方向肩により画成された少なくとも１係止穴を有し、前記リムが、前記少なくとも１係止穴周囲で一時的に横方向に弾性変形可能であり、前記小出し閉じ具システムが、また
（Ｂ）前記少なくとも１つの取り出し口が隠される閉位置と前記少なくとも第１取り出し口が露出される開位置との間を移動可能な少なくとも１つの蓋を含み、前記少なくとも１つの蓋が、閉じられるさい前記少なくとも１係止穴内へ押し込まれる少なくとも１係止突起を含み、前記係止突起が横方向に延びる係止ビードを含むことにより、前記少なくとも１係止突起が前記少なくとも１係止穴内へ押し込まれるにつれて、前記リムが前記少なくとも１係止穴の周囲で横方向に弾性変形し、それにより前記少なくとも１係止穴の寸法が一時的に拡張する結果、前記少なくとも１係止突起が前記係止穴に受容された場合、前記少なくとも１係止突起の係止ビードがスナップばめ式に前記係止肩の内側にはめ込まれることになり、それにより前記少なくとも１つの蓋を開くさいの抵抗が高められる、製品を蓄えることのできる内部を有する容器用の小出し閉じ具システム。
【請求項２６】
前記小出し閉じ具システムが、容器内へ通じる開口を有する容器用の小出し閉じ具であり、
前記小出し閉じ具は、前記容器とは別個のものだが、容器の開口を囲んで取り外し可能に取り付け可能である、請求項２５に記載された小出し閉じ具システム。
【請求項２７】
前記少なくとも１つの蓋が、前記周壁の上部に沿って下方へ延びる周部フランジを有し、
前記少なくとも１つの蓋の前記周部フランジが、横方向内方へ延びる係止ビードを有し、
前記周壁が、前記少なくとも１つの蓋の前記横方向内方へ延びる係止ビードと係止するための、横方向外方へ延びる係止ビードを有している、請求項２５に記載された小出し閉じ具システム。
【請求項２８】
前記小出し閉じ具システムが、更に、フィルムヒンジを含み、該フィルムヒンジが、前記周壁及び前記少なくとも１つの蓋と一体に構成されることで、前記少なくとも１つの蓋が前記周壁と結合され、それにより、前記少なくとも１つの蓋が、前記取り出し口が隠される閉位置と前記取り出し口が露出される開位置との間を移動するのに適応するようにされている、請求項２５に記載された小出し閉じ具システム。
【請求項２９】
前記第１の蓋と第２の蓋の各々が、前記周壁の上部に沿って下方へ延びる周部フランジを有し、
前記各蓋の前記周部フランジが横方向内方へ延びる係止ビードを有し、
前記周壁が横方向外方へ延びる係止ビードを有し、該周壁係止ビードが、前記第１の蓋の前記横方向内方へ延びる係止ビードと、前記第２の蓋の横方向内方へ延びる係止ビードとに係止される、請求項１に記載された小出し閉じ具システム。
【国際調査報告】
2008520513.tif 000035
2008520513.tif 000036